(57)【特許請求の範囲】
【請求項１】
表示部と、
ユーザの視線移動を検出する検出部と、を備え、
前記視線が所定方向へ移動したことを前記検出部が検出すると、前記表示部の表示領域における前記所定方向側に画像を表示し、
前記表示部は、ユーザの左目の眼前に配置される第１表示部と、ユーザの右目の眼前に配置される第２表示部と、を有し
ユーザの視線が左方向へ移動すると、前記第１表示部の表示領域において区分けされた複数の領域の内、左側の領域に第１画像を表示し、
ユーザの視線が右方向へ移動すると、前記第２表示部の表示領域において区分けされた複数の領域の内、右側の領域に第２画像を表示する
電子機器。
【請求項２】
前記画像は、前記表示部の表示領域において、該表示領域の外郭部分と前記視線の移動方向とが交わる点の近傍に表示される
請求項１に記載の電子機器。
【請求項３】
前記所定方向は、前記視線移動が開始された点と該視線移動が終了した点とを結んだ線と同方向である
請求項１又は２に記載の電子機器。
【請求項４】
前記画像は、前記表示部の表示領域の外部側から内部側に進入するように表示される。
請求項１から３の何れか一項に記載の電子機器。
【請求項５】
左側頭部の近傍に設けられる第１操作部と、右側頭部の近傍に設けられる第２操作部と、を有し、ユーザからの操作を受け付ける操作部をさらに備え、
前記第１操作部は、前記第１画像に関連する操作を受け付け、
前記第２操作部は、前記第２画像に関連する操作を受け付ける
請求項１に記載の電子機器。
【請求項６】
ユーザの左側の耳で支持される第１側面部と、
ユーザの右側の耳で支持される第２側面部と、を備え、
前記第１操作部は前記第１側面部に設けられ、
前記第２操作部は前記第２側面部に設けられる
請求項５に記載の電子機器。
【請求項７】
前記第１画像又は前記第２画像中には、所定アプリケーションの実行内容に関連付けられたパラメータを調整可能なオブジェクトが含まれ、
前記操作部に対する所定操作により、前記パラメータが調整される
請求項５または６に記載の電子機器。
【発明の詳細な説明】
【技術分野】
【０００１】
この発明は、ユーザの身体の動きに応じて、所定の入力を行うことが可能な電子機器に関する。
【背景技術】
【０００２】
上記の電子機器として、近年、目の動作によって生じる眼電位からユーザの視線方向を検出し、該視線方向に応じて表示部の表示制御を行うヘッドマウントディスプレイがある。
（特許文献１）。
【０００３】
また、上記の電子機器として、近年、ユーザが撮影された動画から、該ユーザによるジェスチャを認識するとともに該ジェスチャの種類を判定し、判定されたジェスチャの種類に基づいて、制御対象を制御するジェスチャ認識装置がある（特許文献２）。
【先行技術文献】
【特許文献】
【０００４】
【特許文献１】特開２０１１−１２５６９２号公報
【特許文献２】特開２０１４−４８９３８号公報
【発明の概要】
【発明が解決しようとする課題】
【０００５】
特許文献１に記載のヘッドマウントディスプレイ及び特許文献２に記載の認識装置においては、入力の際の操作性をさらに向上させる新規な入力態様の提案が望まれる。
【０００６】
本発明の目的は、入力の際の操作性をさらに向上させる新規な入力態様が施された電子機器を提供することにある。
【課題を解決するための手段】
【０００７】
本発明に係る電子機器は、表示部と、ユーザの視線移動を検出する検出部と、を備え、
前記視線が所定方向へ移動したことを前記検出部が検出すると、前記表示部の表示領域における前記所定方向側に第１画像を表示することを特徴とする。
【発明の効果】
【０００８】
本発明によれば、入力の際の操作性をさらに向上させる新規な入力態様が施された電子機器を提供することができる。
【図面の簡単な説明】
【０００９】
【図１】本発明に係る電子機器１の概略構成を示す図である。
【図２】本発明に係る電子機器１の後ろ側を示した図である。
【図３】本発明に係る他の電子機器１の後ろ側を示した図である。
【図４】本発明の一実施形態に係る電子機器１の機能ブロックを示す図である。
【図５】ユーザの所定の目の動作とそれに対応付けられた出力パターンの組み合わせの一例を示す図である。
【図６】電子機器１の表示部２０の表示態様の第１例を示す図である。
【図７】電子機器１の表示部２０の表示態様の第２例を示す図である。
【図８】電子機器１の表示部２０の表示態様の第３例を示す図である。
【図９】電子機器１の表示部２０の表示態様の第４例を示す図である。
【図１０】電子機器１の表示部２０の表示態様の第５例を示す図である。
【図１１】電子機器１の表示部２０の表示態様の第６例を示す図である。
【図１２】電子機器１の表示部２０の表示態様の第７例を示す図である。
【図１３】電子機器１の別の形状を示す図である。
【発明を実施するための形態】
【００１０】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。
【００１１】
図１は、本発明の一実施形態に係る電子機器１の概略構成を示す図である。図１に示す電子機器１は、ユーザの頭部に装着可能な装着部１０と、装着部１０に取付けられてユーザの眼前に配置される表示部２０と、装着部１０の一部に設けられる操作部３０と、を備える。表示部２０は、該表示部２０の一部又は全部の領域に、ユーザが視認できるように画像を表示する。
【００１２】
電子機器１は、図１に示すように、眼鏡形状（ゴーグル形状）である。電子機器１の装着部１０は、正面部１１と、側面部１２、１３とからなる。装着部１０がユーザに装着されたとき、正面部１１は、ユーザの眼前に配置され、側面部１２、１３は、ユーザの側頭部に沿って配置される。
【００１３】
正面部１１は、上述したように、ユーザに装着された場合、ユーザの眼前に配置される部分である。正面部１１は、ブリッジと、ブリッジを隔てて左右に設けられる二つの縁部（リム）とが一体となって構成されている。ブリッジは、電子機器１の装着時にユーザの鼻と接する部分であり、ユーザの鼻に沿って凹んだ形状である。縁部は、表示部２０を支持している。また、縁部は、側面部１２、１３と連結している。
【００１４】
側面部１２、１３は、上述したようにユーザに装着された場合、ユーザの両側頭部に沿って配置される部分（眼鏡の弦の部分）であり、一方の端部が正面部１１の一方の端部と連結している。ここで、正面部１１と連結される側面部１２の端部（眼鏡の弦の根元部分）には、ユーザの使用感に合わせるための、圧力調整用のバネや角度を変更するアジャスタが配置されている。
【００１５】
表示部２０は、ユーザの左右の目の眼前に設けられる一対の表示部（第１表示部２０ａ、第２表示部２０ｂ）を有している。表示部２０は、第１表示部２０ａ、第２表示部２０ｂの周囲が、正面部１１の縁部によって囲われている。
【００１６】
表示部２０は、例えば、液晶ディスプレイ（ＬＣＤ：Ｌｉｑｕｉｄ  Ｃｒｙｓｔａｌ  Ｄｉｓｐｌａｙ）や、有機ＥＬ（Ｏｒｇａｎｉｃ  Ｅｌｅｃｔｒｏ−Ｌｕｍｉｎｅｓｃｅｎｃｅ）パネルなどで構成された表示パネルを用いることができる。ここで、表示部２０は、表示パネルを半透明または透明の板状部材で作製することが好ましい。表示部２０の表示パネルを半透明または透明の板状部材で作製することで、ユーザが表示部２０を介して景色を見ることができる。
【００１７】
操作部３０は、側面部１２と側面部１３の其々に設けられて、接触を検出するタッチセンサ３０ａ、３０ｂである。タッチセンサ３０ａ、３０ｂには、例えば、静電容量式、超音波式、感圧式、抵抗膜式、光検知式等、各種方式のセンサが用いられ得る。尚、本発明に係る電子機器１において、操作部３０は、タッチセンサ３０ａ、３０ｂの何れか一方のみを有する構成であっても良い。
【００１８】
図２は、本発明に係る電子機器１の後ろ側を示した図である。電子機器１は、後述する検出部４０としての筋電センサ４０を備える。
【００１９】
筋電センサ４０は、ユーザの目の周辺に接触可能な位置に電極を設け、ユーザの目の動作（まばたきや視線移動）に伴って生じる筋電位を検出する。ここで、筋電位を測定するための測定電極として、ユーザの鼻の左右側部のそれぞれに接触可能な第１電極４０ａと第２電極４０ｂとが、装着部１０のブリッジから延設されるノーズパッドに設けられる。また、基準電極として、ユーザの鼻の中央部に接触可能な第３電極４０ｃがブリッジに設けられる。このような構成とすることにより、筋電センサ４０は、例えば、ユーザが視線を所定の方向に移動させた（或いは、まばたきを行った）ときに、第３電極４０ｃを基準とした第１電極４０ａ及び第２電極４０ｂの電位の変化を検出する。
【００２０】
筋電センサ４０に用いられる基準電極としての第３電極４０ｃは、ブリッジとは異なる位置に設けられていても良い。例えば、第３電極４０ｃは、側面部１２（或いは１３）における、正面部１１とは反対側の端部近傍に設けてられても良い。
【００２１】
なお、図２において、電子機器１が検出部４０として筋電センサ４０を備える構成を示したが検出部４０は筋電センサに限定されない。
【００２２】
図３は、本発明の他の実施例に係る電子機器１の後ろ側を示した図である。電子機器１は、検出部４０としての撮像部４０を備える。
【００２３】
撮像部４０は、電子機器１の正面部１１におけるユーザの顔面に対面するように設けられる。撮像部４０は、正面部１１の左右両端部の近傍に其々設けられる（其々４０ｄ、４０ｅとする）。撮像部４０は、撮像レンズ、絞り、ズームレンズ、及びフォーカスレンズ等により構成されるレンズ系、レンズ系に対してフォーカス動作やズーム動作を行わせる駆動系、レンズ系で得られる撮像光を光電変換して撮像信号を生成する固体撮像素子アレイ等を有する。固体撮像素子アレイは、例えばＣＣＤ（Ｃｈａｒｇｅ  Ｃｏｕｐｌｅｄ  Ｄｅｖｉｃｅ）センサアレイや、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサアレイにより実現されても良い。
【００２４】
次に、図４を用いて、本発明に係る電子機器１の機能について説明する。図４は、本発明の一実施形態に係る電子機器１の機能ブロックを示す図である。図４に示すように、本発明に係る電子機器１は、表示部２０、操作部３０、検出部４０、制御部５０、記憶部６０、及び通信部７０を備える。
【００２５】
表示部２０は、制御部５０による制御に基づいて映像や画像を表示する。なお、表示部２０は、ユーザが視認できる画像を表示することができれば、つまりユーザに画像を見せることができればよく、種々の構成を用いることができる。例えば、表示部２０としては、プロジェクタのように表示パネル（スクリーン）に画像を投影する構成としても良い。なお、画像を投影させる場合、レーザ光を走査させて画像を投影する構成としても良いし、液晶パネルに光を透過させて画像を投影する構成としても良い。また、表示部２０からユーザに向けて直接レーザ光を照射することでユーザに対して画像を表示する構成としても良い。
【００２６】
操作部３０は、前述したように、例えば、電子機器１の側面部１２、１３に設けられるタッチセンサであり、側面部１２、１３においてユーザの指が触れた位置を入力位置として検出する。操作部３０は、検出した入力位置に応じた信号を制御部５０へ出力する。これにより、ユーザは、電子機器１に対して種々のタッチ操作を行うことができる。タッチ操作の種類として、例えば、側面部１２、１３に指を接触させた後、短時間のうちに指を離す操作が挙げられる。また、側面部１２、１３を指で任意の方向（例えば、側面部の長手方向）に弾く操作が挙げられる。また、側面部１２、１３に指を接触させたまま側面部の長手方向へ移動させる操作（スライド操作）が挙げられる。なお、指を移動させる方向はこれに限らず、側面部の短手方向へ移動させる操作であっても良い。また、側面部の所定面に対して、該面の長手方向と短手方向（即ちＸ軸方向とＹ軸方向）の移動を併せて検出しても良い。
【００２７】
なお、操作部３０は、タッチセンサに限定されず、例えば、単一または複数のボタンであっても良い。
【００２８】
検出部４０は、該検出部４０が筋電センサ４０である場合、前述したように、ユーザが視線を所定の方向に移動させた（或いは、まばたきを行った）ときの筋電位の変化を検出する。筋電センサ４０は、検出された筋電位変化の情報を制御部５０に出力する。
【００２９】
一方、検出部４０が、撮像部４０である場合、撮影部４０は、ユーザの目の撮影を行う。撮影部４０は、撮影して取得された画像データ、或いは、所定の時間（例えば１／１５秒）毎に撮影して取得された一連の画像データを動画データとして制御部５０に出力する。
【００３０】
制御部５０は、例えば、マイクロプロセッサユニット（ＭＰＵ：Ｍｉｃｒｏ  Ｐｒｏｃｅｓｓｉｎｇ  Ｕｎｉｔ）で構成され、ソフトウェアで指示された手順にしたがって上述した電子機器１の各種の処理を実行する。すなわち、制御部５０は、オペレーティングシステムプログラムやアプリケーションのプログラム等から命令コードを順次読み込んで処理を実行する。このように、制御部５０は、各部の動作を制御し、各部に必要なデータ、例えば、表示部２０に映像や画像を表示させるための制御信号（或いは画像信号）を出力する。
【００３１】
また、制御部５０は、検出部４０としての筋電センサ４０から出力された筋電位変化の情報に基づいて、ユーザの目の動作を推定する。目の動作としては、まばたきの有無、或いは、視線移動の有無（視線方向、視線位置の変化等も含む）等が該当する。
【００３２】
或いは、制御部５０は、検出部４０としての撮像部４０から出力された画像データ或いは動画データに含まれる被写体（目）を抽出し、被写体（目）の動きを解析することで、ユーザの目の動作を推定する。目の動作としては、まばたきの有無、或いは、視線移動の有無（視線方向、視線位置の変化等も含む）等が該当する。例えば、制御部５０は、画像データ或いは動画データに含まれる被写体（目）を抽出し、さらに黒目領域の中心を算出する等の所定の処理を施すことによって視線移動の有無を推定する。なお、画像から被写体を抽出する方法としては、種々の画像処理技術を用いることができる。
【００３３】
記憶部６０は、例えば、不揮発性の記憶デバイス（ＲＯＭ：Ｒｅａｄ  Ｏｎｌｙ  Ｍｅｍｏｒｙ等の不揮発性半導体メモリ、ハードディスク装置等）や、読み書き可能な記憶デバイス（例えば、ＳＲＡＭ：Ｓｔａｔｉｃ  Ｒａｎｄｏｍ  Ａｃｃｅｓｓ  Ｍｅｍｏｒｙ、ＤＲＡＭ：Ｄｙｎａｍｉｃ  Ｒａｎｄｏｍ  Ａｃｃｅｓｓ  Ｍｅｍｏｒｙ）等で構成され、各種プログラムを記憶する。記憶部６０は、検出部４０から出力された情報から推定され得るユーザの目の動作パターンと、各動作パターンに対応付けられた複数の出力パターンとを予め記憶している。
【００３４】
通信部７０は、アンテナとＲＦ回路部とから成り、制御部５０による制御に基づいて、外部装置と無線または有線で通信（電話通信及び情報通信）を行う。
【００３５】
以下、電子機器１がユーザの目の所定の動作を検出することで、該動作に対応付けられた所定の出力動作を行う例を、図５〜１２を参照して説明する。図５は、記憶部６０に記憶される、ユーザの所定の目の動作とそれに対応付けられた出力パターンの組み合わせの一例を示している。図６は、電子機器１において、図５に例示された所定の出力パターンに基づいた表示部２０の表示態様の一例を示す図である。
【００３６】
パターン１において、ユーザは、正視した状態にあり、目の所定の動作を行っていない。この場合、制御部５０は、ユーザによる入力操作があったことを認識せず、従って出力処理を行わない。
【００３７】
パターン２における「視線の所定方向への移動」は、例えば、表示画面上でのオブジェクトの所定方向への移動に対応付けられる。また、「視線の所定方向への移動」は、例えば、表示平画面における所定の位置を指定する操作に対応付けられても良い。また、「視線の所定方向への移動」は、例えば、電子機器１に所定の処理を実行されるようにしても良い。所定の処理としては、例えば、表示部２０に所定の操作画面を表示させる処理等が挙げられる。
【００３８】
パターン３における「視線の所定方向への移動後に注視」する動作は、例えば、電子機器１に所定の処理を実行させる操作に対応付けられる。例えば、ユーザの視線位置が表示部２０に表示された所定の操作アイコンと重なる位置に移動した後に、所定時間（例えば１秒）以上その操作アイコンをユーザが注視すると、操作アイコンが選択されたものと見なされ、操作アイコンに対応付けられた所定の処理を実行するようにする。
【００３９】
パターン４における「複数回の瞬き」を行う動作は、例えば、電子機器１に所定の処理を実行させる操作に対応付けられる。例えば、ユーザの視線位置が表示部２０に表示された所定の操作アイコンと重なっている状態で、瞬きを複数回行うと、操作アイコンが選択されたものと見なされ、操作アイコンに対応付けられた所定の処理を実行するようにする。また、他にも、電子機器１の起動・停止、スリープ状態への移行・解除、音楽アプリ―ケーションにおける音楽再生の実行・停止等のＩ／Ｏ動作を実現させるための入力に割り当てられても良い。
【００４０】
次に、電子機器１の表示部２０の表示態様について説明する。図６は、電子機器１の表示部２０の表示態様の第１例を示す図である。図１に示す電子機器１のように、表示部２０の形状は曲線部分を含みうるが、図６では、簡単のため、表示部２０の一部の領域を抜粋した長方形状の領域を表示領域２１として示している。
【００４１】
図６（ａ）に示すように、表示領域２１において、左上には日時や電子機器１により実行中の音楽アプリケーションに関連して、再生中の楽曲に関する情報（楽曲名、再生時間等）が表示されている。この情報は、文字情報として表示されているが、このような表示態様には限定されず、例えば、有色透明な画像上に不透明な文字が重ねられて表示されても良いし、不透明な画像上に文字が重ねられて表示されても良い。なお、図６（ａ）に示される表示態様は、例えば、ユーザが正視状態にある（図５におけるパターン１）場合に取られる状態である。
【００４２】
ここで、ユーザの視線が右方向へ移動したことを検出部４０が検出した場合、図６（ｂ）−１、図６（ｂ）−２に示されるように、表示部２０の領域２１には、楽曲再生における音量調整のためのオブジェクト８０が表示される。なお、オブジェクト８０は、音量を調整するためのスライドバーを含んでいる。
【００４３】
図６（ｂ）−１は、オブジェクト８０が表示される途中過程を示しており、図６（ｂ）−２は、オブジェクト８０が表示部２０に表示された後の状態を示している。図６（ｂ）−１からわかるように、ユーザが視線を右方向へ移動した場合に、オブジェクト８０は、表示領域２１における該表示領域２１の右端部の外側から内側に進入するように表示される。また、図６（ｂ）−２では、表示領域２１が５個の領域（２１ａ〜２１ｅ）に区分けされた図が模式的に示されており、ユーザが視線を右方向へ移動した場合のオブジェクト８０の表示箇所は、表示領域２１の右側端部である領域２１ｅとなっている。
【００４４】
図６（ａ）、（ｂ）に示すように、本発明に係る電子機器１は、ユーザの視線が所定方向へ移動したことを検出部４０が検出すると、表示部２０に所定の第１画像（オブジェクト）を表示する構成を有する。従って、ユーザが視線を移動させていない状態では画像を表示させず、ユーザの視界がより広く保たれ、ユーザが意図して視線を移動させた場合に、ユーザの所望とする画像を表示させることができるため、利便性が向上する。即ち、入力の際の操作性が向上された入力態様を実現することができる。
【００４５】
ここで、ユーザの一連の視線移動における視線経路が直線的ではなく曲線部分を多く含む場合には、ユーザの視線移動の方向が特定されにくくなる。このような場合、例えば、視線移動が開始された点（始点）と視線移動が終了した点（終点）とを結んだ線をユーザの視線移動の方向を特定しても良い。また、例えば、視線移動が終了した点（終点）と、該終点から所定区間遡った点とを結んだ線をユーザの視線移動の方向を特定しても良い。
【００４６】
また、本発明に係る電子機器１において、所定の第１画像は、表示領域２１の外郭部分とユーザの視線方向とが交わる点の近傍に表示されるようにしても良い。例えば、図６（ｂ）に示すように、ユーザの視線が右方向へ移動し、その移動方向と表示領域２１の右辺とが交わると、右辺近傍の領域（領域２１ｅ）にオブジェクト８０（第１画像）が表示される。
【００４７】
また、本発明に係る電子機器１において、所定の第１画像（オブジェクト）は、表示部２０の表示領域２１における外側から内側に進入するようにして表示される。このような構成とすることにより、ユーザの視線移動を契機として所望の画像（オブジェクト）が表示されたことをユーザが認識しやすくなる。
【００４８】
ここで、上記の説明では、ユーザの視線が単に右方向へ移動したことをオブジェクト８０の表示の契機としたが、これに限定されず、例えば、ユーザの視線位置が図６（ｂ）−２における領域２１ｅへ移動したことを契機としてオブジェクト８０を表示させるようにしても良い。即ち、本発明に係る電子機器１は、表示部２０の表示領域２１において予め区分けされた複数の領域の内の第１領域から第２領域へ視線が移動すると、該第２領域に所定の第１画像を表示する構成を有していても良い。このような構成を有することにより、ユーザが実際に視線を移動させた位置にユーザの所望する画像を表示することができるので視認しやすくなる。
【００４９】
このとき、第１画像（オブジェクト）は、第２領域の外部における第１領域とは反対側の領域から、第２領域内へ進入するようにして表示されるようにしても良い。
【００５０】
また、例えば、ユーザの視線位置が図６（ｂ）−２における領域２１ｅに所定時間以上、継続してあることを契機として、領域２１ｅにオブジェクト８０を表示させるようにしても良い。即ち、本発明に係る電子機器１は、表示部２０の所定の表示領域に視線位置が継続してあることを検出部５０が検出すると、該表示領域に所定の第１画像を表示する構成を有していても良い。
【００５１】
また、所定のタイミングで、ユーザの視線位置が所定の表示部２０の所定の表示領域にあることを契機として第１画像を表示するようにしても良い。例えば、本発明に係る電子機器１を起動させたときに、ユーザの視線位置が表示部２０の所定の表示領域として領域２１ｅにある場合には、第１画像としてオブジェクト８０を表示しても良い。
【００５２】
また、第１領域を、所定の表示が常時なされるメイン表示領域とし、第２領域を、ユーザの視線位置が重なっているときだけ表示を行うサブ表示領域としても良い。
【００５３】
なお、所定の第１画像として、実行中の所定アプリケーションにおいて、所定の処理を実行させるための操作アイコンを表示する構成とすれば、該操作アイコンに対する所定の操作をユーザが行うことで容易に操作可能となる。
【００５４】
ここで再度、図６を参照すると、図６（ｂ）−２において、領域２１ｅには、音量調整のためのオブジェクト８０（スライドバー）が表示され、現在、音量が２０に設定されて楽曲が再生されている状態が示されている。この状態では、ユーザの更なる操作により音量調節可能であり、例えば、操作部３０に対する所定の操作を行うことによって音量を調整可能となっている。操作部３０に対する所定の操作として、前述したように、ユーザが電子機器１の側面部１２或いは１３に対するスライド操作を行い、操作部３０としてのタッチセンサがこれを検出したことを契機として、音量が調整される。例えば、図６（ｂ）−２に示されるように、音量が２０の状態であるときに、ユーザが電子機器１の側面部１２をタッチして、後方から前方へとスライド操作を行うと、図６（ｃ）に示されるように、音量が８０へと増大する。
【００５５】
つまり、本発明に係る電子機器１は、視線の移動を契機として、アプリケーションの実行内容に関連付けられたパラメータを調整可能なオブジェクト（スライドバー）が含まれた第１画像を表示し、第１画像が表示されている状態で、操作部３０による所定の操作を行うことによりパラメータの調整が成される構成を有する。このような構成を有することにより、検出部４０による検出内容と操作部３０に対する操作内容とを組み合わせることによって、より多くの種類の操作を実行可能にできる。
【００５６】
次に、電子機器１の表示部２０の他の表示態様について説明する。図７は、電子機器１の表示部２０の表示態様の第２例を示す図である。図７では、電子機器１が動画再生を実行している例が示されている。
【００５７】
図７（ａ）に模式的に示すように、表示領域２１は、予め、５個の領域（２１ａ〜２１ｅ）に区分けされている。図７（ａ）に示すように、領域２１ｄには、動画再生アプリケーションに関する操作アイコン（動画再生アイコン、再生停止アイコン、シークバー（データの再生箇所を表示する機能）等）を含むオブジェクト８１ａが表示されている。
【００５８】
図７（ａ）に示す状態で、ユーザの視線が左方向へ移動したことを検出部４０が検出した場合、図７（ｂ）に示されるように、表示部２０の左側の領域（図７（ａ）の領域２１ａに相当）には、輝度を調整するためのオブジェクト８１ｂが表示される。
【００５９】
また、図７（ａ）に示す状態で、ユーザの視線が右方向へ移動したことを検出部４０が検出した場合、図７（ｃ）に示されるように、表示部２０の右側の領域（図７（ａ）の領域２１ｅに相当）には、音量を調整するためのオブジェクト８１ｃが表示される。
【００６０】
上記のように、本発明に係る電子機器１は、ユーザの視線が左方向へ移動すると、表示部２０の表示領域２１において区分けされた複数の領域の内、左側の領域２１ａに第１画像を表示し、ユーザの視線が右方向へ移動すると、表示部２０の表示領域２１において区分けされた複数の領域の内、右側の領域２１ｅに第２画像を表示する。このような構成を有することにより、視線の移動方向によって異なる画像を表示することができ、さらには、その画像を、視線が移動した位置の近傍に併せて表示することができるため、利便性が向上する。
【００６１】
ここで、上記の説明では、ユーザの視線が単に所定方向へ移動したことをオブジェクトの表示の契機としたが、これに限定されない。例えば、表示部２０の表示領域２１において予め区分けされた複数の領域の内の第１領域（領域２１ｃ）から第２領域（領域２１ａ）へ視線が移動すると、該第２領域にオブジェクト８０ｂ（第１画像）を表示させ、第１領域（領域２１ｃ）から第３領域（領域２１ｅ）へ視線が移動すると、該第３領域にオブジェクト８０ｃ（第２画像）を表示させても良い。
【００６２】
また、例えば、ユーザの視線位置が図７（ａ）における領域２１ａに所定時間以上、継続してあることを契機として、領域２１ａにオブジェクト８０ｂ（第１画像）を表示させ、視線位置が図７（ａ）における領域２１ｅに所定時間継続してあることを契機として、領域２１ｅにオブジェクト８０ｃ（第２画像）を表示させるようにしても良い。
【００６３】
なお、図７に示す例では、表示部２０の左側の領域（領域２１ａ）に第１画像としてオブジェクト８１ｂを表示し、表示部２０の右側の領域（領域２１ｅ）に第２画像としてオブジェクト８１ｃを表示する構成としたが、これに限定されず、表示部２０の左側の領域（領域２１ａ）に第１画像（オブジェクト８１ｂ）を表示し、表示部２０の右側の領域（領域２１ｅ）に同じく第１画像（オブジェクト８１ｂ）を表示しても良い。
領域２１ａと領域２１ｅとの双方に同一のオブジェクトを表示させる構成としても良い。
【００６４】
また、表示部２０の左右端部近傍の領域（領域２１ａと領域２１ｅ）にオブジェクトを表示する構成に限定されず、例えば、ユーザの視線が下方向に移動すると、表示部２０の下端部の領域２１ｄにオブジェクトを表示させ、ユーザの視線が上方向に移動すると、表示部２０の上端部の領域２１ｂにオブジェクトを表示させるようにしても良い。即ち、本発明に係る電子機器１は、ユーザの視線が第３方向に移動すると第３画像を表示し、第４方向に移動すると第４画像を表示しても良い。このとき、第３画像は、例えば、図７に示すオブジェクト８１ａである（この場合、オブジェクト８１ａは常時表示されないものとする）。また、第４画像は、例えば、図６に示したような日時等の情報等であって良い。
図８は、電子機器１の表示部２０の表示態様の第３例を示す図である。図８では、第２例と同様、電子機器１が動画再生を実行している例が示されている。
【００６５】
図８において、表示部２０は、図１に示すように、ユーザの左目の目前に配置される第１表示部２０ａとユーザの右目の目前に配置される第２表示部２０ｂとを有している。ここで、ユーザの視線が左方向へ移動すると、第１表示部の表示領域２２ａにおいて区分けされた複数の領域の内、左側の領域（図８においては、表示領域２２ａにおける左端近傍の領域）に第１画像として輝度を調整するためのオブジェクト８１ｂを表示する。また、ユーザの視線が右方向へ移動すると、前記第２表示部の表示領域２２ｂにおいて区分けされた複数の領域の内、右側の領域（図８においては、第２表示領域２２ｂにおける右端近傍の領域）に第２画像として音量を調整するためのオブジェクト８１ｃを表示する。このような構成とすることにより、ユーザの視界における左右の外側にオブジェクトを表示することができるので、視界の妨げを軽減できる。
【００６６】
また、本発明に係る電子機器１では、左側頭部の近傍に設けられる第１操作部３０ａが左側の表示部２０ａに表示される第１画像（オブジェクト８１ｂ）に関連する操作を受け付け、右側頭部の近傍に設けられる第２操作部３０ｂが右側の表示部２０ｂに表示される第２画像（オブジェクト８１ｃ）に関連する操作を受け付ける構成を有していても良い。このような構成を有することにより、例えば、ユーザが視線を左方向に移動させている、即ち、画面の左側を見ているときには、左側頭部の近傍の操作部に対して操作を行える（多くの場合には左手で操作を行える）ので、目の動作と手の動作を組み合わせた入力操作が煩わしくならず、利便性が向上する。
【００６７】
次に、電子機器１の表示部２０の表示態様における第４例について図９を参照して説明する。第４例において、電子機器１はブラウザアプリケーションを実行している。このとき、電子機器１は、複数のウェブページ間を互いに遷移させて該複数のウェブページの内の一のページを表示可能である。例えば、図９（ａ）に示すように、表示部２０の表示領域２１には、複数のウェブページの内の一のページとしてページ８２ａが表示されている。
【００６８】
ここで、ユーザの視線が左方向へ移動したことを検出部４０が検出した場合、図９（ｂ）に示されるように、表示領域２１における左端部近傍の領域に、ページ８２ａとは異なる第１画像（ページ８２ｂ）が表示される。このとき、ページ８２ｂは、ページ８２ａに一部重畳して表示される。また、ページ８２ｂの表示内容の一部または全部が第１画像として表示される。従ってユーザは、表示領域２１の大部分においてページ８２ａを視認しつつ、ページ８２ａとは異なる他のページ８２ｂの表示内容を確認することができる。
【００６９】
また、表示部２０の表示状態が図９（ａ）に示す状態である場合に、ユーザの視線が右方向へ移動したことを検出部４０が検出した場合、図９（ｃ）に示されるように、表示領域２１における右端部近傍の領域にページ８２ａとは異なる第２画像（ページ８２ｃ）が表示される。
【００７０】
ここで例えば、図９（ｂ）におけるページ８２ｂは、ページ８２ａよりも前のウェブページであり、図９（ｃ）におけるページ８２ｃは、ページ８２ａの次のウェブページとすることができる。
【００７１】
また、例えば、図９（ｂ）に示すような、第１画像（ページ８２ｂの一部または全部）が表示されている状態で、ユーザの目の所定動作を検出部４０が検出すると、図９（ｄ）に示すように、ページ８２ｂ（他のページ）に表示を遷移させるようにしても良い。即ち、表示領域２１の大部分にページ８２ａを表示している状態から表示領域２１の大部分にページ８２ｂを表示している状態に遷移させる。また、例えば、図９（ｃ）に示すような、第２画像（ページ８２ｃの一部または全部）が表示されている状態で、ユーザの目の所定動作を検出部４０が検出すると、ページ８２ｃ（他のページ）に表示を遷移させるようにしても良い。即ち、表示領域２１の大部分にページ８２ａを表示している状態から表示領域２１の大部分にページ８２ｃを表示している状態に遷移させる。なお、ユーザの目の所定動作としては、例えば、図５のパターン４である複数回の瞬きを行う動作として良い。このような構成とすることにより、ユーザが他のページを確認しながら、該他のページの表示に遷移させたいときに容易な動作で実現できる。
【００７２】
次に、電子機器１の表示部２０の表示態様における第５例について図１０を参照して説明する。第５例において、ユーザは表示部２０を介して所定の物体を視認しており、また、表示部２０にはその物体に関連付けられた情報を含む所定の画像が表示されている。例えば、図１０（ａ）に示されるように、ユーザは街中を歩いており、表示部２０を介して建物１００を視認している。そして、表示部２０の表示領域２１には、建物１００に関連付けられた情報が吹き出し形式で表示されている（オブジェクト８３ａ）。
【００７３】
ここで、ユーザの視線が左方向へ移動したことを検出部４０が検出した場合、吹き出し形式で表示されているオブジェクト８３ａは、図１０（ｂ）に示されるように、表示部２０の表示領域２１における左端部近傍の領域に移動して表示される。
【００７４】
上記のように、本発明に係る電子機器１は、表示部２０の表示領域において区分けされた複数の領域の内の第１領域に所定の画像が表示されている状態（図１０（ａ）における吹き出し形式で表示された状態）で、ユーザの視線が第２領域に移動すると、或いは、第１領域から第２領域へ向かう方向に視線が移動すると、所定の画像（オブジェクト８３ａ）が第１領域から第２領域に移動して表示される構成を有する。このような構成を有することにより、視線を動かすだけで、ユーザにとって不要となった情報や視界の妨げになっている情報をユーザの所望する表示領域に移すことができるため、煩わしい思いをしないで済む。
【００７５】
また、本発明に係る電子機器１は、図１０（ｂ）に示されるように、オブジェクト８３ａ（所定の画像）が表示領域２１における左端部近傍の領域（第２領域）に移動して表示される場合には、オブジェクト８３ａと建物１００とが対応付けられている旨の表示を行っても良い。例えば、図１０（ｂ）に示されるように、オブジェクト８３ａが表示されている領域の近傍と、建物１００と重なる位置には其々、アルファベットの「Ａ」が表示されている。このような構成とすることにより、建物１００に関する情報を、視線の移動によって建物１００が視認される領域と離れた領域に表示させた場合であっても、建物１００と情報とが互いに関連付けられていることを容易に把握することができる。
【００７６】
また、本発明に係る電子機器１は、図１０（ａ）に示すような、表示部２０の表示領域２１にオブジェクト８３ａが表示されている状態で、所定時間内にユーザの視線が左右に移動したことを検出部４０が検出すると、オブジェクト８３ａが表示部２０の表示領域２１の左右端部近傍に移動して表示される、或いは、表示されなくなるようにしても良い。このような構成とすることにより、視線の簡単な移動動作によって、オブジェクト８３ａ（所定の画像）をユーザの視界の妨げとならない領域に移動させて表示させることができる。
【００７７】
次に、電子機器１の表示部２０の表示態様における第６例について図１１を参照して説明する。第６例では、電子機器１において、道案内アプリケーションが実行されている。図１１（ａ）に示されるように、表示部２０の表示領域２１における左上の領域にはユーザの現在位置付近の地図画像８４が表示されている。また、表示部２０の表示領域２１における右上の領域にはユーザの現在位置付近の航空写真８５が表示されている。
【００７８】
ここで、ユーザの視線が左上方向へ移動したことを検出部４０が検出した場合、地図画像８４は、図１１（ｂ）に示されるように拡大表示される。
【００７９】
また一方で、表示部２０の表示態様が図１１（ａ）に示す状態である場合において、ユーザの視線が右上方向へ移動したことを検出部４０が検出した場合、航空写真８５は、図１１（ｃ）に示されるように拡大表示される。
【００８０】
このように、本発明に係る電子機器１は、ユーザの視線が所定の方向（第１方向）へ移動することを検出部４０が検出すると、第１画像を拡大表示する構成を有する。このような構成を有することにより、ユーザの所望とする画像に対して、視線の移動動作のみで拡大表示を行うことができるため、利便性が向上する。
【００８１】
また、図１１（ｂ）に示すような、地図画像８４（第１画像）が拡大表示されている場合に、ユーザの視線が左上方向（第１方向）と異なる方向へ移動すると地図画像８４を縮小表示し、例えば、図１１（ａ）に示す状態に戻す構成としても良い。
【００８２】
また、図１１（ｂ）に示すような、地図画像８４（第１画像）が拡大表示されている場合に、ユーザの視線が右上方向（第２方向）へ移動すると航空写真８５（第２画像）を拡大表示するともに、地図画像８４（第１画像）を縮小表示するようにしても良い。このような構成を有することにより、ユーザが地図画像８４から他の表示領域に視線を移すタイミングで地図画像８４が縮小表示されるので使い勝手が良い。
【００８３】
なお、上記の例では、ユーザの視線が所定の方向へ移動することを契機として、第１画像を拡大表示する構成としたが、このような構成に限定されない。例えば、ユーザの視線位置が第１画像の表示領域に所定時間以上あることを検出部４０が検出すると第１画像を拡大表示するようにしても良い。また、第１画像が拡大表示されている場合に、ユーザの視線が所定の方向へ移動すると、ユーザが第１画像とは異なる表示を見ようとしているものと判断し、該第１画像を縮小表示するようにしても良い。
【００８４】
上記のような構成によれば、ユーザは、電子機器１に道案内アプリケーションを実行させている際に、地図画像８４と航空写真８５とを容易に切り替えながら、目的地を把握できるようになる。
【００８５】
次に、電子機器１の表示部２０の表示態様における第７例について図１２を参照して説明する。第７例では、電子機器１において、学習アプリケーションが実行されている。図１２（ａ）に示されるように、表示部２０の表示領域２１には試験問題が表示されている。
【００８６】
ここで、ユーザの視線が右方向へ移動したことを検出部４０が検出すると、表示部２０に問題の解法に関するヒント１（第１情報８６ａ）を表示する。例えば、図１２（ｂ）に示すように、ヒント１は、表示領域２１の右端部近傍の領域に表示される。従って、ユーザは、表示されたヒント１を参考にして、問題を解くことができる。
【００８７】
また、表示部２０にヒント１が表示された後に、再度、ユーザの視線が右方向へ移動したことを検出すると、図１２（ｃ）に示すように、ヒント１に関する他のヒント２（あるいはヒント１に対する詳細なヒント２）（第２情報８６ｂ）を表示部２０に表示する。従って、ユーザは、ヒント１のみでは解法が分からない場合にはヒント２を参考にすることによって、問題を解くことができる。
【００８８】
また、ユーザの視線が左方向へ移動したことを検出部４０が検出すると、表示部２０に問題の答え８６ｃを表示するようにしても良い。例えば、図１２（ｄ）に示すように、答えは、表示領域２１の左端部近傍の領域に表示される。また、答えが表示されている表示領域にユーザの視線が位置している状態で、ユーザの目の所定動作を検出部４０が検出すると、表示部２０に問題の解法の詳細（解説内容）を表示するようにしても良い。
【００８９】
以上、説明してきたように、本発明によれば、入力の際の操作性をさらに向上させる新規な入力態様が施された電子機器を提供することができる。
【００９０】
本発明を諸図面や実施形態に基づき説明してきたが、当業者であれば本開示に基づき種々の変形や修正を行うことが容易であることに注意されたい。従って、これらの変形や修正は本発明の範囲に含まれることに留意されたい。さらに、本明細書において開示される全ての技術的事項は、矛盾しないように再配置可能であり、複数の構成部を１つに組み合わせたり、或いは分割したりすることが可能である。
【００９１】
上記の実施形態では、電子機器１が、眼鏡形状（ゴーグル形状）のような形状を有する例を示してきたが、ウェアラブル装置１の形状はこれに限定されない。例えば、ウェアラブル装置１は、図１３に示すように、ユーザの頭部のほぼ上半分を覆うようなヘルメットタイプの形状を有していても良い。或いは、電子機器１は、図１３に示すように、ユーザの顔面のほぼ全体を覆うようなマスクタイプの形状を有していても良い。
【００９２】
また、上記の実施形態では、表示部２０がユーザの左右の目の前に設けられる一対の表示部２０ａ、２０ｂを有している構成を例示してきたが、これに限定されず、表示部２０は、ユーザの左右の目の内の一方の前に設けられる一つの表示部を有している構成であっても良い。
【００９３】
また、上記の実施形態では、正面部の縁部が、表示部２０の表示領域の縁の全周を囲っている構成を例示してきたが、これに限定されず、表示部２０の表示領域の縁の一部のみを囲っている構成であっても良い。
【符号の説明】
【００９４】
１  電子機器
１０  装着部
１１  正面部
１２、１３  側面部
２０  表示部
３０  操作部
４０  検出部
５０  制御部
６０  記憶部
７０  通信部
【図１】
0006367673.tif 000002
【図２】
0006367673.tif 000003
【図３】
0006367673.tif 000004
【図４】
0006367673.tif 000005
【図５】
0006367673.tif 000006
【図６】
0006367673.tif 000007
【図７】
0006367673.tif 000008
【図８】
0006367673.tif 000009
【図９】
0006367673.tif 000010
【図１０】
0006367673.tif 000011
【図１１】
0006367673.tif 000012
【図１２】
0006367673.tif 000013
【図１３】
0006367673.tif 000014